(57)【要約】      （修正有）【課題】ヘッジトリマーによる植樹帯の刈込みを安全で能率よく行なう。【解決手段】本体部１からエンジンで駆動されるバリカン刃２が突出するレシプロ型ヘッジトリマーＡによって植樹帯を断面が四角形になるように刈り揃える刈込方法において、ヘッジトリマーＡの本体部１をパワーショベルＢのバケット６の側面に、バリカン刃２がバケット６の上面側を延びる場合も底面側を延びる場合も共にバリカン刃２がバケット６の上面及び底面を超えた位置になるように取付具５を用いて取り付けるとともに、本体部１が植樹帯１４の頂面及び両側面を外れた位置に在ってバリカン刃２のみが植樹帯１４の頂面及び両側面に沿った形になるように取付具５の取付け並びにパワーショベルＢのアーム１５、１６及びバケット６の角度を調整し、この状態を保持してパワーショベルＢを植樹帯１４に並走させてその断面が同一になるよう刈り揃える植樹帯の刈込方法。【選択図】図４
2005270041.tif 000002
【特許請求の範囲】
【請求項１】
本体部からエンジンで駆動されるバリカン刃が突出するレシプロ型ヘッジトリマーによって植樹帯を断面が四角形になるように刈り揃える植樹帯の刈込方法において、ヘッジトリマーの本体部をパワーショベルのバケットの側面に、バリカン刃がバケットの上面側を延びる場合も底面側を延びる場合も共にバリカン刃がバケットの上面及び底面を超えた位置になるように取付具を用いて取り付けるとともに、本体部が植樹帯の頂面及び両側面を外れた位置に在ってバリカン刃のみが植樹帯の頂面及び両側面に沿った形になるように取付具の取付け並びにパワーショベルのアーム及びバケットの角度を調整し、この状態を保持してパワーショベルを植樹帯に並走させてその断面が同一になるよう刈り揃えることを特徴とする植樹帯の刈込方法。
【請求項２】
バリカン刃が両刃又は片刃である請求項１の植樹帯の刈込方法。
【請求項３】
植樹帯の断面が上底が幅狭の台形に形成される請求項１又は２の植樹帯の刈込方法。
【請求項４】
エンジンの回転速度及び作動停止がパワーショベルの座席から遠隔操作できる請求項１〜３いずれか１項の植樹帯の刈込方法。
【請求項５】
請求項１〜４いずれか１項の植樹帯の刈込方法に用いられるヘッジトリマーをパワーショベルのバケットの側面に取り付けるヘッジトリマーの取付具であり、この取付具が、バケットの側面に固定される取付けプレートと、取付けプレートからバケットの側面に沿って上方又は下方に延出されるアームと、アームに前向きと後向きどちらでも取り付けられ、かつ、ヘッジトリマーのバリカン刃をバケットの上面及び底面を超えた位置に保持してその本体部を固定して支えるベースとからなることを特徴とする植樹帯の刈込方法に用いられるヘッジトリマーの取付具。
【請求項６】
取付けプレートに対するアームの角度及びアームに対するベースの角度がそれぞれ変更できるものである請求項５の植樹帯の刈込方法に用いられるヘッジトリマーの取付具。
【請求項７】
ヘッジトリマーの本体部とバリカン刃とにガススプリングを介在させた請求項５間かは６の植樹帯の刈込方法に用いられるヘッジトリマーの取付具。
【発明の詳細な説明】
【技術分野】
【０００１】
本発明は、道路側端等に植樹されている植樹帯の刈込方法及びこの刈込方法に用いられるヘッジトリマーの取付具に関するものである。
【背景技術】
【０００２】
道路側端には植樹帯が連続して植生されて個所があり、このような植樹帯は、少なくとも年一回はその形を刈り揃える（刈込み）必要がある。この刈込みに際して大型の専用機を用いる場合もあるが、大多数の造園業者では、このような設備は持ち合わせていない。したがって、バリカン刃を有するレシプロ型のヘッジトリマーを用いて手作業で刈込みをしているのが実情である（ロータリ式のものは物を跳ね飛ばしたりして危険であるから、普通は用いられない）。
【０００３】
植樹帯は、その断面が四角形になるように刈り揃えられるから、少なくともその頂面と両側面の三面にヘッジトリマーを操作しなければならない。このヘッジトリマーは、エンジン一体型であって重量が重いことから、これを長い区間に亘ってしかも三面に同一状態で操作するのはたいへんな労力を強いられる。特に、この刈込みは、樹木に花芽が付く前の５月頃にかけて行なわれることが多いから、暑さも加わってその体力消耗はたいへんなものになる。なお、エンジンを背負式にしたものもあるが、エンジンで背中が熱せられてこれ又苛酷なものになる。
【発明の開示】
【発明が解決しようとする課題】
【０００４】
そこで、本発明は、通常の造園業者なら誰でもが保有しているパワーショベルを用い、これに専用の取付具を用いてヘッジトリマーを取り付けるとともに、パワーショベルの特性を効果的に活用して安全、かつ能率的、しかもきれいな刈込みをしょうとするものである。
【課題を解決するための手段】
【０００５】
以上の課題の下、本発明は、請求項１に記載した、本体部からエンジンで駆動されるバリカン刃が突出するレシプロ型ヘッジトリマーによって植樹帯を断面が四角形になるように刈り揃える植樹帯の刈込方法において、ヘッジトリマーの本体部をパワーショベルのバケットの側面に、バリカン刃がバケットの上面側を延びる場合も底面側を延びる場合も共にバリカン刃がバケットの上面及び底面を超えた位置になるように取付具を用いて取り付けるとともに、本体部が植樹帯の頂面及び両側面を外れた位置に在ってバリカン刃のみが植樹帯の頂面及び両側面に沿った形になるように取付具の取付け並びにパワーショベルのアーム及びバケットの角度を調整し、この状態を保持してパワーショベルを植樹帯に並走させてその断面が同一になるよう刈り揃えることを特徴とする植樹帯の刈込方法を提供したものである。
【０００６】
そして、本発明は、請求項４に記載した、上記した植樹帯の刈込方法に用いられるヘッジトリマーをパワーショベルのバケットの側面に取り付けるヘッジトリマーの取付具であり、この取付具が、バケットの側面に固定される取付けプレートと、取付けプレートからバケットの側面に沿って上方又は下方に延出されるアームと、アームに前向きと後向きどちらでも取り付けられ、かつ、ヘッジトリマーのバリカン刃をバケットの上面及び底面を超えた位置に保持してその本体部を固定して支えるベースとからなることを特徴とする植樹帯の刈込方法に用いられるヘッジトリマーの取付具を提供する。
【発明の効果】
【０００７】
本発明によると、ヘッジトリマーをパワーショベルで保持して刈込み作業ができることになるから、作業が楽で能率的であってコストを低減できるとともに、作業者はバリカン刃から離れた位置にあるから、安全でもある。また、作業者はヘッジトリマーを手で持たなくてもよいから、振動や騒音を免れるとともに、排気ガスを吸うこともない。加えて、刈込み作業中、ヘッジトリマーの姿勢は変わらないから、植樹帯の断面は長手方向に同一になって非常にきれいな刈込みができる。ところで、このようなことは、ヘッジトリマーを単にパワーショベルで保持させただけでは不可能であり、専用の取付具の案出とパワーショベルの特性を効果的に活用することによって始めて可能になったのである。
【発明を実施するための最良の形態】
【０００８】
以下、本発明の実施の形態を図面を参照して説明する。図１は取付具によってヘッジトリマーをバケットの側面に取り付けた状態を示す側面図、図２は平面図であるが、本発明で用いるヘッジトリマーＡは汎用型のものでよい。すなわち、このヘッジトリマーＡは、本体部１からバリカン刃２が突出しているものであり、本体部１の上に載置させたエンジン３でバリカン刃２を往復動させるレシプロ型のものである。その駆動構造は周知であるから、ここでは詳説を省略するが、要は、エンジン３の出力軸でクランクを回転させ、クランクにバリカン刃２を連結したものである（図示省略）。
【０００９】
この場合のバリカン刃２には、バリカン刃２が二枚の両刃式のものと一枚の片刃式のものとがあるが、本発明で用いるのは、前進方向にも後進方向にも刈込みができる両刃式のものが適する。この他、ヘッジトリマーＡには、作業者が手で持つことができる二つのハンドル４ａ、４ｂが、一方は本体部１の前部から、他方は後部から延出している。
【００１０】
本発明では、このヘッジトリマーＡを取付具５によってパワーショベルＢのバケット６の側面に取り付ける。本例における取付具５は、バケット６の側面にボルト等で固定される取付けプレート７と、取付けプレート７から側面に向けて突出される軸体７ａに一端に形成されたボス８ａが嵌入されてボルト等９で固定され、バケット６の側面に沿って上方又は下方に（軸７ａに対してボス８ａを回転させることで）延びるアーム８と、アーム８の他端に形成されたボス８ｂに軸体１０ａが挿入されてボルト等１１で固定され、ヘッジトリマーＡの本体部１を固定して支えるベース１０とからなる。
【００１１】
これにおいて、ベース１０の軸体１０ａはベース１０の底板１０ｂの両側に設けられており、これを付け替えることでアーム８に対して前向きでも後向きでも取り付けられるようになっている。また、ヘッジトリマーＡの本体部１をベース１０に固定するには、本体部１の適所をボルト等で押さえることができる押え体１２を底板１０ｂ上にボルト等で固定したもので構成している。さらに、以上のようにして取付具５でヘッジトリマーＡをバケット６の底面側又は上面側に取り付けた場合、バリカン刃２はバケット６の底面及び上面を超えてに出るようにアーム８の長さ等が調整されている。バリカン刃２がバケット６に邪魔されることなく、使用できるようにするためである。
【００１２】
これにより、ヘッジトリマーＡは、取付けプレート７に対するアーム８の延出方向とアーム８に対するベース１０の取付サイドを変えることで、バリカン刃２がバケット６の前方にも後方にも向いて取り付けられ、かつバリカン刃２がバケット６の底面側にも上面側にも存在するような態様で取り付けられることになる。そして、いずれの場合であっても、バリカン刃２はバケット６の底面及び上面を超えた位置になるように設定されている（バリカン刃２がバケット６の上面側に位置するときは、その底面が上方に向くように設定されるのが通常である）。
【００１３】
加えて、本例のものでは、取付けプレート７に対するアーム８の角度及びアーム８に対するベース１０の角度はボルト等９、１１を締緩することでそれぞれ任意に変更できるようになっている。パワーショベルのバケット６は、アーム（ブーム）やリンク構成による死角によって３６０°は旋回できないから、このようにしてバリカン刃２をあらゆる角度に向くようにしたものである。
【００１４】
さらに、本例のものは、本体部１とバリカン刃２とに亘ってガススプリング１３を介在させている。すなわち、本体部１と、本体部１から突出するバリカン刃２の根元部分を覆っているカバー１ａとに亘ってガススプリング１３を渡し掛けている。バリカン刃２に掛かる衝撃を吸収するためであるが、特に、パワーショベルの動きは衝撃が大きいから、これを緩衝させてバリカン刃２が折損したりするのを防ぐためである。
【００１５】
次に、以上のヘッジトリマーＡをパワーショベルＢのバケット６に取り付けて植樹帯１４の刈込みを行なう場合について説明する。植樹帯１４の断面は四角形になるように刈り揃えられることは上述したが、これは刈込み作業をやり易くするためである。すなわち、ヘッジトリマーＡを手で持ち、これを頂面及び側面に沿って動かして刈込みをする際、ヘッジトリマーＡを水平又は垂直に保持するのは、他の角度に設定するよりもやり易いからである。
【００１６】
しかし、植樹帯１４の生育や美感からいえば、上底が幅狭になった台形にするのが好ましい。本来、樹木は、下方ほど枝葉が広がって上方へ行くほど狭まっているものであるから、植樹帯１４もこれに対応した形にするのが自然に沿って好ましい。また、道路端の植樹帯１４でこのような刈込みをすると、道路幅が広く見える利点もある。特に、植樹帯１４の反道路側の歩道等を歩行する児童や老人は目線が低いこともあって、植樹体１４の歩道側の面が直角に切り上がっていると、非常な圧迫感を受けるが、このような台形断面をしていると、この圧迫感が薄らぐ。しかし、このような断面に刈込みをしないのは、ヘッジトリマーＡを傾けて使用するときにその傾き角度がはっきりしないために刈込み姿が乱れたり、また、作業者の労力的負担が増えたりするからからである。
【００１７】
図４〜図６は本発明に係る取付具５を用いてヘッジトリマーＡをバケット６に取り付け、植樹帯１４の断面が上狭の台形になるように刈込み作業をしている場合の説明図であるが、これにおいて、図４は植樹帯１４の頂面を刈込みしている場合である。この場合は、バリカン刃２をバケット６の底面側に位置するように取り付け、バリカン刃２が所定の高さになるようにパワーショベルＢの第一アーム１５、第二アーム１６及びバケット６の角度を調整する。もちろん、このとき、未刈り部分となる本体部１は、頂面から外れた位置にしておく必要がある。なお、この操作は、パワーショベルＢの走行部１７は植樹帯１４と平行に向けておき、第一アーム１５等からなる作業部１８を植樹帯１４の方に向けて行なうことになる。
【００１８】
以上の状態が設定されたなら、第一及び第二アーム１５、１６及びバケット６をその位置に固定し、ヘッジトリマーＡを駆動してパワーショベルＢを植樹帯１４に沿って走行させて刈込み作業をする。なお、このとき、パワーショベルＢはできるだけ植樹帯１４に接近した位置になるように第一及び第二アーム１５、１６の角度調整をすることは、作業の安全と効率から好ましいことである。
【００１９】
この作業時、パワーショベルＢは、植樹帯１４と平行に走行しなければならないが、これを確保するため、パワーショベルＢから植樹帯１４側にマーカ等を出しておき、これを目安に走行すれば、位置がずれたりしない。この場合、ヘッジトリマーＡの始動やその速度設定は、これに設けられたスターターや停止ボタン及びアクセルレバーを操作することになるが、これを適当なハーネス等でパワーショベルＢの座席まで延ばしておくと、遠隔操作ができて便利である。
【００２０】
植樹帯１４の頂面の刈込みが終了したなら、次は側面の刈込みを行なう（順序はこれに限定されない）。図５は道路側の側面の刈込みをしている場合であるが、ヘッジトリマーＡを上記の取付けにしたまま、第一及び第二アーム１５、１６及びバケット６の角度を側面の角度に調整する。この場合、側面の全面が刈込みできるように、本体部１を上方に位置させる必要があるのは上記と同じである。
【００２１】
ところで、この側面は傾斜していることから、その角度がわかり難い場合は、断面の模型定規等を作っておき、バリカン刃２がこれに沿うようにバケット６の角度等を調整すればよい。そして、この状態に固定し、ヘッジトリマーＡを駆動してパワーショベルＢを走行させ、この側面の刈込みを行なう。なお、この走行は、前進でも後進でもよく、バリカン刃２を両刃式にすると、後進による作業もできる。
【００２２】
一方の側面の刈込みが終了すると、今度は他方の側面の刈込みを行う。図６は反道路側の側面の刈込みをしている場合であるが、このときは、取付具５のアーム８を１８０°回転させ、バリカン刃２がバケット６の上面側に位置するように取り付ける（先の取付けでは、各アーム１５、１６を調整してもバリカン刃２が植樹体１３の反道路側の斜面に沿わないからであり、これが可能であれば変更の必要はない）。そして、第一及び第二アーム１５、１６及びバケット６の角度を調整して、バリカン刃２をこの側面の角度に合わす。その後は、この状態に固定して上記と同様に刈込み作業を行うことになる。
【００２３】
図７は取付具の他の例を示す斜視図であるが、本例の取付け具１９は、ヘッジトリマーＡの本体部１を載せて固定する断面がコの字形をした板体をしたものである。すなわち、底板１９ａの上にヘッジトリマーＡの本体部１を載せ、その前後の部分をＵボルト２０等で底板１９ａに強固に固定するものであり、両側の壁体１９ｂには、バケット６に取り付けるための取付構造２１が施されている。この取付構造２１には種々のものが考えられるが、もっとも簡単なものは、ボルト等による締付けてある。本例のものは、バケット６に対してヘッジトリマーＡの角度は変更できないが、構造が簡単で、製造コストが安い利点がある。
【００２４】
以上は、本発明を実施する際の最良の形態であるが、本発明は、この他に種々改変された形態をとる。例えば、取付具は上記した形状のものに限らない。要は、ヘッジトリマーを前後向きを変えてバケットの側面に取り付けられるものであればよい。また、取付構造も、孔やボルトに限らず、カム等によるロック式のものであってもよい。さらに、取付具は、バケットの両方の側面に取り付けられるものであってもよい。
【００２５】
植樹帯の大きさも種々あり、植樹帯の一つの辺がヘッジトリマーのバリカン刃の長さより長い場合は、一つの辺を複数回に分け行なうことになる。また、植樹帯の断面形状は、台形に限られるものでなく、長方形にするものであってもよいし、五角形等の多角形でもよく、その場合も、容易に角度設定ができる。なお、断面を台形にすれば、側面の刈込み時、ヘッジトリマーを完全に起立させなくてもよくなるから、燃料や潤滑油の供給に際してのエンジン姿勢により好ましいものになる。この他、パワーショベルも、第一アームのみを有する小型のもの、第三アーム以上を有する大型のものであってもよい。
【図面の簡単な説明】
【００２６】
【図１】ヘッジトリマーをバケットの側面に取り付けた状態の側面図である。
【図２】ヘッジトリマーをバケットの側面に取り付けた状態の平面図である。
【図３】取付具の斜視図である。
【図４】本発明に係る植樹体の刈込み方法の説明図である。
【図５】本発明に係る植樹体の刈込み方法の説明図である。
【図６】本発明に係る植樹体の刈込み方法の説明図である。
【図７】取付具の他の例の斜視図である。
【符号の説明】
【００２７】
Ａ    ヘッジトリマー
Ｂ    パワーショベル
１    本体部
１ａ  バリカン刃のカバー
２    バリカン刃
３    エンジン
４ａ  ハンドル
４ｂ  ハンドル
５    取付具
６    バケット
７    取付けプレート
７ａ  軸体
８    アーム
８ａ  ボス
８ｂ  ボス
９    ボルト
１０  ベース
１０ａ軸体
１０ｂ底板
１１  ボルト
１２  押えたい
１３  ガススプリング
１４  植樹帯
１５  第一アーム
１６  第二アーム
１７  走行部
１８  作業部
１９  取付具
１９ａ底板
１９ｂ壁体
２０  Ｕボルト
２１  取付構造
【図１】
2005270041.tif 000003
【図２】
2005270041.tif 000004
【図３】
2005270041.tif 000005
【図４】
2005270041.tif 000006
【図５】
2005270041.tif 000007
【図６】
2005270041.tif 000008
【図７】
2005270041.tif 000009